(57)【要約】【課題】一目でわかり易い態様で発電電力量と受電電力量を表示できる電力表示システムを提供する【解決手段】燃料電池などの自家発電設備を制御するリモコン装置のディスプレイ６に帯状の表示体１４を備え、中央の基準部８よりも一端側を発電電力表示部９、他端側を受電電力表示部１０に形成する。発電電力表示部９と受電電力表示部１０は、電力量の増大にともなって基準部８からそれぞれ両端部方向に伸長する態様で、発電電力量と受電電力量とを面積表示する。発電電力表示部９と受電電力表示部１０の表示スケールは双方とも線形であって、受電電力量が特定値に達するごとに段階的に切り替わり、切り替わった後も常に双方同一のスケールで電力量を表示する。【選択図】図３
2006153571.tif 000002
【特許請求の範囲】
【請求項１】
自家発電設備を制御する制御用機器の表面にディスプレイを設けこのディスプレイ中に電力量を表示面積によって表示する表示体を備えるとともに、前記表示体の表示スケールを前記電力量に依存して切り替える表示スケール切替手段を備えた発電電力・受電電力表示システムにおいて、
前記表示体の特定位置を基準部とし、前記基準部よりも一端側の前記表示体は発電電力量を表示する発電電力表示部に形成するとともに前記基準部よりも他端側の前記表示体は受電電力量を表示する受電電力表示部に形成する
ことを特徴とする発電電力・受電電力表示システム。
【請求項２】
前記表示スケール切替手段は前記発電電力表示部および前記受電電力表示部の表示スケールを前記受電電力量に依存して段階的に切り替え前記発電電力量および前記受電電力量を常に同一のスケールで表示する
ことを特徴とする請求項１に記載の発電電力・受電電力表示システム。
【請求項３】
前記表示スケール切替手段は前記発電電力表示部の表示スケールを常に一のスケールに固定するとともに前記受電電力表示部の表示スケールを前記受電電力量に依存して段階的に切り替えて表示する
ことを特徴とする請求項１に記載の発電電力・受電電力表示システム。
【請求項４】
前記発電電力表示部および受電電力表示部は、前記発電電力量および前記受電電力量を常に線形のスケールで表示することを特徴とする請求項１から３までのいずれか１項に記載の発電電力・受電電力表示システム。
【請求項５】
前記発電電力表示部は前記発電電力量を常に線形のスケールで表示し、前記受電電力表示部は前記受電電力量が特定量未満の場合には前記受電電力量を線形のスケールで表示するとともに前記受電電力量が特定量以上の場合には前記受電電力量を前記発電電力量とは異なるスケールにおいて表示することを特徴とする請求項３に記載の発電電力・受電電力表示システム。
【請求項６】
前記表示体は帯状であり、前記基準部を前記表示体の略中央部に設けたことを特徴とする請求項１から５までのいずれか１項に記載の発電電力・受電電力表示システム。
【請求項７】
前記制御用機器はリモコン装置であることを特徴とする請求項１から６までのいずれか１項に記載の発電電力・受電電力表示システム。
【発明の詳細な説明】
【技術分野】
【０００１】
本発明は、発電電力量と受電電力量とを表示する電力表示システムに関する。
【背景技術】
【０００２】
近年、電力会社等による大規模発電電力供給機構を補完するものとして、自家発電機構が脚光を浴びている。この自家発電機構の代表的なものとして燃料電池があり、近年は家庭用電力供給機構としても普及している。そして、家庭で自家発電機構を用いる場合、電気料金の計算等の便宜を図るために、受電電力と自家発電電力とを区分して計測し表示する表示システムが求められており、従来は、電力量を面積表示する表示部において、使用電力量に対する自家発電電力量の比率を表示する表示装置（たとえば、特許文献１参照）や、表示部に横軸と縦軸を設け、横軸方向の一端側に発電電力量を表示するとともに他端側に消費電力量を表示し、さらに縦軸方向に売電電力量と買電電力量を表示するシステム（たとえば、特許文献２参照）が知られている。
【特許文献１】特開２０００−２６６７８９号公報
【特許文献２】特開２００４−２８９２４号公報
【発明の開示】
【発明が解決しようとする課題】
【０００３】
しかし、上記特許文献１に記載された発明によれば、自家発電電力量は使用電力量に対する比率で表示されるため、自家発電電力量は相対量で表示されることとなって、発電電力量を表示面積から容易に視認することが難しいという問題がある。また、上記特許文献２に記載された発明によれば、同一軸上のパラメータは発電電力量と消費電力量であるため、表示部の表示から受電電力量を視認したり発電電力量と受電電力量を対比することはできないという問題がある。
【０００４】
本発明は上記の課題に鑑みてなされたものであり、本発明は、一目でわかり易い態様で発電電力量と受電電力量を表示できる電力表示システムを提供することを目的とする。
【課題を解決するための手段】
【０００５】
本発明に係る上記課題は、自家発電設備を制御する制御用機器の表面にディスプレイを設けこのディスプレイ中に電力量を表示面積によって表示する表示体を備えるとともに、前記表示体の表示スケールを前記電力量に依存して切り替える表示スケール切替手段を備えた発電電力・受電電力表示システムにおいて、前記表示体の特定位置を基準部とし、前記基準部よりも一端側の前記表示体は発電電力量を表示する発電電力表示部に形成するとともに前記基準部よりも他端側の前記表示体は受電電力量を表示する受電電力表示部に形成する発電電力・受電電力表示システムによって達成される。
【０００６】
そして、表示体の特定位置に設けた基準部よりも一端側を発電電力表示部に、他端側を受電電力表示部にそれぞれ形成することにより、発電電力と受電電力との視覚的感覚的対比が可能になる。
【０００７】
本発明の上記課題は、さらに、前記表示スケール切替手段は前記発電電力表示部および前記受電電力表示部の表示スケールを前記受電電力量に依存して段階的に切り替え前記発電電力量および前記受電電力量を常に同一のスケールで表示する発電電力・受電電力表示システムによって達成される。
【０００８】
そして、受電電力量の値に応じて受電電力表示部のスケールを段階的に切り替えるとともに、受電電力表示部のスケールの切り替えに対応して発電電力表示部のスケールを同じスケールに切り替えることにより、受電電力量を常に見やすい大きさに表示するとともに、受電電力量と発電電力量の視覚的感覚的な対比を容易にする。
【０００９】
また、本発明の上記課題は、前記表示スケール切替手段は、前述の態様に代えて、前記発電電力表示部の表示スケールを常に一のスケールに固定するとともに前記受電電力表示部の表示スケールを前記受電電力量に依存して段階的に切り替えて表示する発電電力・受電電力表示システムによって達成される。
【００１０】
そして、発電電力表示部を固定スケールで表示するとともに受電電力表示部の表示スケールを電力量の値に応じて段階的に切り替えることにより、受電電力量に対して発電電力量が著しく少量であるような場合に、表示体上に、両電力量をそれぞれ見やすい大きさに表示できる。
【発明の効果】
【００１１】
本発明によれば、リモコン装置のディスプレイのように狭小な場所においても、発電電力量と受電電力量を常に見やすく対比しやすい態様で表示でき、発電電力量と受電電力量を一目で容易に把握することができるため、電力量計算などにおける利用者の利便性を向上させることができる。
【発明を実施するための最良の形態】
【００１２】
以下、本発明の一の実施の形態を、図面を参照して説明する。
図１に、本発明に係る発電電力・受電電力表示システム１が用いられる電力供給機構１００の一例を示す。この電力供給機構１００は商用交流電力と自家発電による電力を連携させて家庭内の電気機器に電力を供給する機構であり、商用電力系統１０１と、分電盤１０２と、自家発電設備１０３と、リモコン装置１０４とを備えている。
【００１３】
商用電力系統１０１は発電所において発電された商用交流電力を送電線や配電線などを介して供給する送配電系統である。また、自家発電設備１０３は家庭用燃料電池コ−ジェネレーションシステムであって、1キロワット程度の家庭用の小型燃料電池による発電装置と貯湯タンクとを備えている。この自家発電設備１０３は、都市ガスなどメタンガスを主原料とする燃料を改質して生成した水素リッチガスの供給を受け、この水素リッチガスを空気中の酸素と電気化学的に反応させて発電するとともに、反応によって発生する熱を冷却水に交換し温水として回収する。そして、発電された電力はインバータによって直流から交流に変換され、家庭内の各種電気機器に供給される。また、商用電力系統１０１と自家発電設備１０３とは分電盤１０２に接続されている。この分電盤１０２は複数の分岐過電流遮断機を基盤に取り付けたものであって、家庭内の電気機器に過電流が供給されることを防止する。また、リモコン装置１０４は自家発電設備１０３の制御用機器であり、自家発電設備１０３が設けられた家庭内に備えられ、オン・オフ切替スイッチなど各種の制御用スイッチ類を有して自家発電設備１０３の発電機能およびその他の機能を遠隔操作で制御する。このリモコン装置１０４の詳細については後述する。
【００１４】
図２に、本発明に係る発電電力・受電電力表示システム１と本発明が用いられる電力供給機構１００の構成ブロック図を示す。この図中、太線の矢印表示は電力（電流の流れ）を示し、細線の矢印表示は信号の流れを示している。この電力供給機構１００を構成する自家発電設備１０３には、発電部１０５と、発電電力検出部１０６と、稼動状態調節部１０７と、使用電力検出部２と、使用電力・発電電力算出部３とが設けられている。発電部１０５は、水素リッチガスと空気中の酸素との反応により発電を行う。発電電力検出部１０６は各種の交流電力量計測機構であって、発電部１０５が発電した発電電力を測定するとともに、発電部１０５において所定期間に発電された発電電力量を積算する。また、稼動状態調節部１０７は、発電部１０５のオン・オフ制御や発電量の調節制御など、発電部１０５の稼動状態を制御する。なお、使用電力検出部２および使用電力・発電電力算出部３については後述する。
【００１５】
そして、分電盤１０２には、売電電力・受電電力検出部１０８が設けられており、この売電電力・受電電力検出部１０８は、商用電力系統１０１から家庭に配電された商用交流電力の電力量および自家発電設備１０３から商用電力系統１０１に送電される電力量をそれぞれ計測し、電力売買による料金計算などを容易に行うための電力量のデータを生成する。また、分電盤１０２は商用電力系統１０１および自家発電設備１０３から供給された電力を家庭内の負荷１０９に供給する。
【００１６】
そして、本発明に係る発電電力・受電電力表示システム１は、自家発電設備１０３を構成する使用電力検出部２および使用電力・発電電力算出部３と、リモコン装置１０４を構成する表示スケール演算部４および表示スケール切替部５およびディスプレイ６および調節司令部７を有している。
【００１７】
使用電力検出部２は、自家発電設備１０３に内蔵されたCPUなどの演算処理機能によって作動する。この使用電力検出部２は各種の交流電力量計測機構であって、家庭内の電気機器である負荷１０９が消費した電力を計測し、所定期間における家庭内での消費電力量を積算する。
【００１８】
また、使用電力・発電電力算出部３も、自家発電設備１０３に内蔵されたCPUなどの演算処理機能によって作動する。使用電力・発電電力算出部３は、自家発電設備１０３が設置された家庭内の電気機器である負荷１０９の消費電力を計測するとともに、自家発電設備１０３の発電電力の情報を取得して、この消費電力および発電電力の情報をもとに、当該家庭における負荷１０９の使用電力量と自家発電設備１０３の発電電力量とを算出する。ここで、使用電力量は商用電力系統１０１から配電された電力量と自家発電設備１０３が発電した電力量の和であるため、算出した使用電力量から発電電力量を引いた値が受電電力量として算出される。
【００１９】
一方、表示スケール演算部４は、このリモコン装置１０４に内蔵された演算処理機能によって作動する。表示スケール演算部４は、使用電力・発電電力算出部３が算出した使用電力量および発電量を受けて、ディスプレイ６に発電電力量および受電電力量を表示する際のスケールを算出する。
【００２０】
また、表示スケール切替部５は、表示スケール演算部４が算出した表示スケールに基づいて、ディスプレイ６の表示スケールを図３の(b)から(d)まで、および図５の(b)から(d)までに示す態様のそれぞれに切り替える切替制御を行う。
【００２１】
そして、使用電力・発電電力算出部３が算出した受電電力量および発電電力量の情報と、表示スケール演算部４が算出したスケールの情報とは、リモコン装置１０４の表面に設けられたディスプレイ６に供給される。
【００２２】
さらに、調節指令部７は、自家発電設備１０３の稼動状態調節部１０７を制御するための命令信号を出力し、自家発電設備１０３の稼動状態を遠隔制御で調節する。
【００２３】
図３の（ａ）に、この一の実施の形態におけるディスプレイ６の拡大図を示す。このディスプレイ６に備えられた表示体１４は、液晶表示器や複数のLED(Light Emitting Diode)など、細かい目盛間隔で表示面積を変化させることができる部材によって、リモコン装置１０４の本体部に対して両側部方向に伸張した略矩形の帯状に形成されている。
【００２４】
また、表示体１４の略中央部には縦線状の基準部８が設けられ、この基準部８よりも一端側（図の右側方向）の表示体１４は発電電力表示部９として形成され、基準部８よりも他端側（図の左側方向）は受電電力表示部１０として形成されている。そして、この発電電力表示部９および受電電力表示部１０においては、発電電力量および受電電力量の増加にともなって、液晶の表示部分やLEDの点灯部分などの表示面積が増加する。そして、発電電力量の増加に対する発電電力表示部９の表示面積の増加ならびに受電電力量の増加に対する受電電力表示部１０の表示面積の増加は、それぞれ線形に対応する。すなわち、発電電力表示部９および受電電力表示部１０の表示面積の増加の態様は、いずれも電力量の増加に比例する。そして、電力量に対応する表示面積の大きさは、発電電力表示部９と受電電力表示部１０とで同じである。すなわち、発電電力表示部９と受電電力表示部１０とは同一のスケールで電力量を表示する。
【００２５】
なお、ここでいう線形とは、y=ax+bの態様（xは変数を示し、aおよびbは定数を示す）で表される線形関数（一次関数）の規則性に基づいた表示全般を指すものとし、この場合、発電電力表示部９および受電電力表示部１０の目盛は線形関数の表示となり目盛相互間の間隔は均等となる。
【００２６】
そして、基準部８の下部近傍には発電電力量および受電電力量が零であることを示すゼロ表示１１が記載され、また、表示体１４の一端部側には、表示される発電電力量の最大値を示す発電側最大値表示部１２が設けられ、さらに、表示体１４の他端部側には、表示される受電電力量の最大値を示す受電側最大値表示部１３が設けられる。発電側最大値表示部１２および受電側最大値表示部１３は液晶やLEDなどによって形成し、０〜９までの任意の数字を表示する。
【００２７】
そして、図３の（ｂ）（ｃ）（ｄ）には、一の実施の形態におけるディスプレイ６の表示の態様を示す。発電および受電が開始されると、図３の（ｂ）に示すように、発電電力表示部９と受電電力表示部１０にはユーザがメータによる視認において適当なレンジ（ここではそれぞれ０〜１キロワット、以下「第１のレンジ」と称する。）で電力量が表示され、発電側最大値表示部１２と受電側最大値表示部１３には第１のレンジの最大値（ここではそれぞれ１キロワット）として表示され、発電電力表示部９においては、発電電力量の増大にともない、基準部８から表示体１４の一端部方向にメータが伸長する。また、受電電力表示部１０においては、受電電力量の増大にともない、基準部８から表示体１４の他端部方向にメータが伸長する。
【００２８】
そして、受電電力量が受電側最大値表示部１３に表示された値（図３の（ｂ）においては１キロワット）に達し、受電電力表示部９におけるメータの表示が表示体１４の他端部に達すると、表示スケール演算部４は表示体１４のスケールを切り替えるとともに発電側最大値表示部１２と受電側最大値表示部１３との表示を変更する指示を出し、ディスプレイ６の表示は図３の（ｃ）に示す態様に切り替えられる。このスケールが切り替えられた状態において、発電電力表示部９と受電電力表示部１０のレンジはより広いレンジ（ここでは０〜３キロワット、以下「第２のレンジ」と称する。）に切り替えられ、発電側最大値表示部１２と受電側最大値表示部１３には切り替えられた後の第２のレンジの最大値（ここではそれぞれ３キロワット）が表示され、メータは第２のレンジに対応する短い状態（ここでは最大量の約３分の１）で表示される。
【００２９】
さらに、受電電力表示部９におけるメータの表示が表示体１４の他端部（３キロワット）に達すると、ディスプレイ６の表示は図３の（ｄ）に示す態様に切り替えられる。この状態において、発電電力表示部９と受電電力表示部１０のレンジはさらに広いレンジ（ここでは０〜６キロワット、以下「第３のレンジ」と称する。）に切り替えられ、発電側最大値表示部１２と受電側最大値表示部１３には切り替えられた後の第３のレンジの最大値（ここではそれぞれ６キロワット）が表示され、メータは第３のレンジに対応するさらに短い状態（ここでは最大量の約６分の１）で表示される。
【００３０】
次に、本発明に係る一の実施の形態におけるディスプレイ６の表示の切替制御について、図４に示すフローチャートに基づいて説明する。
【００３１】
まず、リモコン装置１０４の電源をオンにすると（ステップＳ１）、使用電力・発電電力算出部３が、発電電力検出部１０６から発電電力量の情報を受けるとともに、使用電力検出部２から使用電力量の情報を受けて、発電電力量と受電電力量とを算出する（ステップＳ２）。次に、表示スケール演算部４が算出した受電電力量が１キロワット以下であるか否かを判断し（ステップＳ３）、受電電力量が１キロワット以下であれば、表示スケール切替部５はディスプレイ６に対し、発電電力表示部９および受電電力表示部１０の表示スケールを第１のレンジである０〜１キロワットとする旨を指示するとともに、発電側最大値表示部１２と受電側最大値表示部１３とに数字の「１」を表示する旨を指示する（ステップＳ４）。
【００３２】
次に、受電電力量が１キロワットを超えている場合には、表示スケール演算部４が算出した受電電力量が３キロワット以下であるか否かを判断する（ステップＳ５）。そして、受電電力量が３キロワット以下であれば、表示スケール演算部４は発電電力表示部９および受電電力表示部１０の表示スケールを第２のレンジである０〜３キロワットとし、表示スケール切替部５はディスプレイ６に表示スケールの切り替え指示を出し、ディスプレイ６には発電側最大値表示部１２と受電側最大値表示部１３とには数字の「３」が表示される（ステップＳ６）。
【００３３】
次に、受電電力量が３キロワットを超えている場合には、ディスプレイ６の表示体１４における発電電力表示部９および受電電力表示部１０の表示スケールを第３のレンジである０〜６キロワットとし、表示スケール切替部５はディスプレイ６に表示スケールの切り替え指示を出し、発電側最大値表示部１２と受電側最大値表示部１３とには数字の「６」が表示される（ステップＳ７）。そして、ステップＳ３からステップＳ７までの処理を、リモコン装置１０４の電源がオフになるまで繰り返す（ステップＳ８）。
【００３４】
このように、受電電力量の値に応じて受電電力表示部１０のスケールを段階的に切り替えることにより、受電電力量を常に見やすい大きさに表示することが可能になる。また、受電電力表示部１０のスケールの切り替えに対応して発電電力表示部９のスケールを同じスケールに切り替えることにより、受電電力量と発電電力量を常に視覚的感覚的に対比することが可能になる。
【００３５】
さらに、帯状に形成した表示体１４の中央に設けた基準部８よりも一端側を発電電力表示部９に、他端側を受電電力表示部１０に形成し、電力量の増加にともなってそれぞれ基準部８から両端方向に表示面積が増大する態様で電力量を表示することにより、両電力量の視覚による対比が容易になる。
【００３６】
また、発電電力も受電電力も常に線形のスケールで表示体１４に表示することにより、表示された面積の大きさによって現在までに発電または受電された電力量のそれぞれを常に視覚的感覚的に把握することができる。
【００３７】
次に、本発明に係る他の実施の形態を、図面を参照して説明する。
図５の（ａ）に、他の実施の形態におけるディスプレイ６の拡大図を示す。なお、図３に示すディスプレイ６と同一の構成部分については説明を省略する。ディスプレイ６の表示体１５においては、受電電力量が所定の値を超えると受電電力表示部１７の表示スケールが変化するとともに受電電力に対する表示面積が線形表示から対数表示に変化する。一方、発電電力表示部１６の表示スケールおよび線形表示の態様は一の態様に固定されており、受電電力表示部１７の表示スケールが変化してもかかる変化に応じて変化することのないように設定されている。そして、それ以外の構成は上記一の実施の形態と同じである。
【００３８】
ここで、対数表示とは、y＝logaxの態様（aは底を示し、xは変数を示す）で表される対数関数の規則性に基づいた表示全般を指すものとし、この場合、受電電力表示部１７の目盛は対数目盛となって目盛相互間の間隔は不均等となる。
【００３９】
そして、図５の（ｂ）（ｃ）（ｄ）には、表示体１５における表示の態様を示す。まず、発電電力表示部１６と受電電力表示部１７には、図５の（ｂ）に示すように第１のレンジ（０〜１キロワット）で電力量が表示される。このとき、発電電力表示部１６および受電電力表示部１７の電力量に対する表示面積は、線形のスケールで表示される。
【００４０】
そして、受電電力量が受電側最大値表示部１３に表示された値である１キロワットに達し、受電電力表示部１７におけるメータの表示が表示体１５の他端部に達すると、表示スケール切替部５は表示体１５のスケールを切り替えて、図５の（ｃ）に示すように、受電電力表示部１７には第２のレンジ（０〜３キロワット）で対数表示によって電力量が表示される。このとき、発電電力表示部１６には第１のレンジ（０〜１キロワット）と同一の線形のスケールのままで電力量が表示される。このレンジにおいては、受電電力表示部１７には、電力量を視認しやすいように、適当な区分ごとに異なる表示態様で電力量が表示される。図の（ｃ）においては、０〜１キロワットまでの電力量部分１８ａ（黒色に塗りつぶされた部分）と、１〜２キロワットまでの電力量部分１８ｂ（斜線表示された部分）とが異なる態様で表示された状態を示している。
【００４１】
さらに、受電電力量が受電側最大値表示部１３に表示された値である１キロワットに達し、受電電力表示部１７におけるメータの表示が表示体１５の他端部に達すると、表示スケール切替部５は表示体１５のスケールを切り替えて、図５の（ｄ）に示すように、受電電力表示部１７には第３のレンジ（０〜６キロワット）で対数表示によって電力量が表示される。このときも、発電電力表示部１６は第１のレンジ（０〜１キロワット）と同一の線形のスケールのままで電力量が表示される。また、このレンジにおいても、受電電力表示部１７には、電力量は適当な区分ごとに異なる態様で表示される。図の（ｄ）においては、０〜１キロワットまでの電力量部分１８ａ、１〜２キロワットまでの電力量部分１８ｂに加え、２〜３キロワットまでの電力量部分１８ｃ（網掛け表示された部分）と３〜４キロワットまでの電力量部分１８ｄ（黒地に白点表示された部分）とが異なる態様で表示された状態を示している。
【００４２】
次に、本発明に係る一の実施の形態における、ディスプレイ６の表示の切替制御について、図６に示すフローチャートに基づいて説明する。
【００４３】
まず、リモコン装置１０４の電源をオンにすると（ステップＳ１１）、使用電力・発電電力算出部３が発電電力量と受電電力量とを算出する（ステップＳ１２）。次に、表示スケール演算部４が算出した受電電力量が１キロワット以下であるか否かを判断し（ステップＳ１３）、受電電力量が１キロワット以下であれば、表示スケール切替部５はディスプレイ６の表示体１５における発電電力表示部１６および受電電力表示部１７の表示スケールを第１のレンジである０〜１キロワットとして双方の電力表示部１６、１７を線形のスケールで表示し、発電側最大値表示部１２と受電側最大値表示部１３とには数字の「１」が表示される（ステップＳ１４）。
【００４４】
次に、受電電力量が１キロワットを超えている場合には、表示スケール演算部４が算出した受電電力量が３キロワット以下であるか否かを判断し（ステップＳ１５）、受電電力量が３キロワット以下であれば、表示スケール切替部５は、ディスプレイ６の表示体１５における発電電力表示部１６および受電電力表示部１７の表示スケールを第２のレンジである０〜３キロワットに切り替えるとともに受電電力表示部１７の表示スケールを線形のスケールから対数スケールに切り替え、発電側最大値表示部１２と受電側最大値表示部１３とには数字の「３」が表示される（ステップＳ１６）。
【００４５】
次に、受電電力量が３キロワットを超えている場合には、表示スケール切替部５は、ディスプレイ６の表示体１５における発電電力表示部１６および受電電力表示部１７の表示スケールを第２のレンジである０〜６キロワットに切り替え、発電側最大値表示部１２と受電側最大値表示部１３とには数字の「６」が表示される（ステップＳ１７）。なおこのとき、第２のレンジの場合と同様に発電電力表示部１６のスケールは線形スケールであって受電電力表示部１７のスケールは対数スケールにて表示される。そして、ステップＳ１３からステップＳ１７までの処理を、リモコン装置１０４の電源がオフになるまで繰り返す（ステップＳ１８）。
【００４６】
このように、発電電力表示部１６を固定スケールで表示するとともに受電電力表示部１７の表示スケールを電力量の値に応じて段階的に切り替えることにより、受電電力量に対して発電電力量が著しく少量であるような場合に、表示体１５上に、両電力量を常に見やすい大きさに表示することができる。特に、一般家庭では、エネルギー換算した電力需要はエネルギー換算した給湯需要よりも高いため、自家発電設備１０３として家庭用燃料電池コ−ジェネレーションシステムを用いる場合、エネルギーロスを少なくするために、自家発電設備１０３を温水の利用分だけ稼動させ、不足した電力は電力会社などの商用電力系統１０１から供給を受ける形で使用することが多いと考えられるので、発電電力表示部１６と受電電力表示部１７のこのような表示態様は、実情に沿うことが期待される。
【００４７】
また、受電電力表示部１７のスケールのみを対数表示することにより、受電電力量が発電電力量に比して非常に多い電力供給形態において、双方の電力量をともに見やすく表示することができる。
【００４８】
また、上記一の実施の形態および他の実施の形態において、発電電力表示部９、１６や受電電力表示部１０、１７の表示スケールは、０〜１キロワット、０〜３キロワット、０〜６キロワットの３段階に切り替えられるものとしたが、切り替えの段階数や切り替えごとの電力量の幅はこれに限定されず、どのようなものであってもよい。
【００４９】
そして、上記一の実施の形態および他の実施の形態において、表示体１４、１５は帯状であり、発電電力量および受電電力量は帯グラフの態様で表示されるものとしたが、これに限定されず、たとえば表示体１４、１５を環状に形成して発電電力量と受電電力量とを円グラフの態様で表示するものなど、発電電力量と受電電力量を面積にて表示できるものであれば表示体１４、１５の形状はどのようなものであってもよい。
【００５０】
また、上記一の実施の形態および他の実施の形態において、使用電力検出部２と使用電力・発電電力検出部３とは自家発電設備１０３に内蔵されたＣＰＵの演算処理によって作動するものとしたが、これらの構成は自家発電設備１０３の内部で必ず処理されるものとする必要はなく、たとえばリモコン装置１０４において処理されたり、あるいは、自家発電設備１０３ともリモコン装置１０４とも別個の制御用機器を設け、かかる制御用機器において処理されるものであってもよい。
【００５１】
さらに、上記一の実施の形態および他の実施の形態において、本発明に係る発電電力・受電電力表示システム１が用いられる自家発電設備１０３は家庭用燃料電池であるものとしたが、これに限定されず、たとえば太陽電池、風力発電、地熱発電など、燃料電池以外の自家発電設備であってもよく、また、たとえば工場用、店舗用など、各種小規模発電に用いられるものであれば、家庭用以外の燃料電池や燃料電池以外の自家発電設備であってもよい。
【図面の簡単な説明】
【００５２】
【図１】本発明に係る発電電力・受電電力表示システムが用いられる電力供給機構の一例である。
【図２】同上電力供給機構ならびに本発明に係る発電電力・受電電力表示システムの構成ブロック図である。
【図３】本発明の一の実施の形態に係る発電電力・受電電力表示システムにおける、ディスプレイの拡大図ならびにディスプレイの表示態様の模式図である。
【図４】同上発電電力・受電電力表示システムのディスプレイの表示切替制御を示すフローチャートである。
【図５】本発明の他の実施の形態に係る発電電力・受電電力表示システムにおける、ディスプレイの拡大図ならびにディスプレイの表示態様の模式図である。
【図６】同上発電電力・受電電力表示システムのディスプレイの表示切替制御を示すフローチャートである。
【符号の説明】
【００５３】
１・・発電電力・受電電力表示システム、５・・表示スケール切替部、６・・ディスプレイ、８・・基準部、９・・発電電力表示部、１０・・受電電力表示部、１４、１５・・表示体、１６・・発電電力表示部、１７・・受電電力表示部、１０３・・自家発電設備、１０４・・リモコン装置（制御用機器）
【図１】
2006153571.tif 000003
【図２】
2006153571.tif 000004
【図３】
2006153571.tif 000005
【図４】
2006153571.tif 000006
【図５】
2006153571.tif 000007
【図６】
2006153571.tif 000008